(57)【要約】【課題】    本発明の課題は、エネルギー普遍の法則が重力場の１：１の比からいきなり原子力の比１：１０３８倍、重力の場で発生すると言う、エネルギー普遍の法則が単に四つの力それぞれの中だけの話であり、重力の場で核力は発生すると言う現実問題を、重力：弱い力：電磁気力：核力に至るエネルギー発生を連続的に制御する方法と装置を提供しようとすることである。【解決手段】本発明の解決手段はモーターを多段にすることにより、既存の技術であるベアリング部を使用しても、各段の回転数と時間の積数を各段掛け合わせ先端の時間の各段Ｎ乗どんどん加速する高速回転数を得、重力場では駆動回転体の回転トルクが各段回転体のトルクの和であり、他方発電が回転数に比例することと時間の遅れとして等速回転を起こす以外の余分のエネルギーにより、発電の出力側と発電駆動側の入力エネルギーとにトルク差が出ることを利用し、１：１のエネルギー発生から１：１０の３８乗倍の核力に至る迄のエネルギーを駆動側の回転数を制御することにより自在に得ることを具現した。【選択図】    図１
2005039979.tif 000002
【特許請求の範囲】
【請求項１】
同軸上で親モーターの背中に子モーターを載せる二段モーター駆動方法
【請求項２】
同軸上で互いに逆転する２段モーターを向かい合わせ保持する方法
【請求項３】
同軸上で駆動用二段モーターの先に発電用モーターを具備する発電機
【請求項４】
同軸上で二段モーターの先が出力軸である駆動装置
【請求項５】
同軸上で一段モーターの回転子と二段モーターの回転子が同回転とする駆動方法
【請求項６】
同軸上で一段目の回転子と二段目回転子コイルの巻き方向が互いに逆方向である二段モーター。
【請求項７】
同軸上で一段目と二段目回転子コイルの巻き方向が同じである、二段モーター。
【発明の詳細な説明】
【発明の詳細な説明】
【技術分野】
【０００１】高速回転駆動モーター及び発電及び軸受け
【背景技術】
【０００２】
【０００３】従来の電動モータの回転数は早くても毎秒１０００回転どまりである、又発電も火力発電のように入力エネルギーの半分止まりの効率か、あるいは一足飛びに核力による原子力発電である。又回転軸を保持するベアリングも毎秒１０００回転止まりである。又核融合に由るエネルギー発生も爆弾止まりである。重力から核力に至るエネルギーを自在に取り出す技術は無い。
【発明が解決しょうとする課題】
本発明は重力から核力に至るエネルギーの発生を高速回転モーターに拠り自在にコントロールすることを課題としている。又高速回転軸受けの摩擦を０にすることを課題としている。重力場の回転を超える弱い力の場の高速回転駆動力を重力場で得ることを課題としている。二段モーターの駆動装置の構造を単純簡単にすることを課題としている。大型発電機を小さく簡単にすることを課題としている。重力の力で、核力までの力を電磁気力で得ることを課題としている。電磁モーターが駆動すると同じモーター内で発電も起こり、電流の流れ方向が逆流し、回転子が無動力で等速運動するのを抵抗している。この抵抗である発電電流を取り除くことを課題としている。無限に加速回転する回転子を等速回転にすることを課題としている。余剰エネルギーを電力に変えることを課題としている。
【課題を解決する為の手段】
【０００４】発電機を駆動する駆動用モーターを同軸上二段にすることにより互いの回転数と時間を掛け合わせる容易な高速回転モーターを得ることが出来る。弱い力の場である二段モーターを重力場から眺めると時間が二乗と多い、これがエネルギー構成部分である光速の時間×距離の片割れであるから核力に至るエネルギーを重力場で得ることになる。モーター本体と回転子のベアリング部の摩擦は在来技術である、一段目の回転子と回転数で一体である二段目の本体と二段目の回転子とのベアリング部での摩擦も在来技術でよい、これにより一段目回転数と時間の積を二乗する回転数まで在来のベアリングで引出すことが可能である。又逆転する多段モーターを同軸向かい合わせにすることにより、高速回転ベアリング部を同回転数とすることが出来摩擦柢抗０を容易に具現することが出来る。多段モーターを駆動するエネルギーはそれぞれ各段のモーター駆動エネルギーの和である、回転数も在来の概念では同じく各段の回転数の和である。しかしながら、これをベアリングとの回転数である等速運動にいたる加速度運動として捉えると、それぞれ各段のモーターの回転数はそれぞれの段が次元となり、各段のモーター回転数×時間のＮ段乗である。これを等速運動状態にすると高速回転部の時間の遅れは回転トルクとして、重力場であるモーター本体に核力に至る力を印加する。
ひらたく言えば、モーターの回転はベアリングの摩擦抵抗と駆動モーター内自身で発生する発電に拠る起電力が電流を逆流させ回転に対する内部抵抗となる、これを防げば、いくらでも回転数は上がり、等速運動とすれば二段目以降は消費電力０となる。高速回転でまわる発電機の回転子に対する効率は加速度系であるから速度の二乗である。回転速度が速ければ速いほど効率は爆発的によい。これを実現する多段モーターは駆動モーターの内部発電電流の方向を逆向きにそして磁束方向を逆むきにする、すなわちモーターを駆動する方向に向けることにより具現した。これにより一段目と多段目の回転数の比を重力から核力に至るまでのエネルギーとして容易に引き出すことが遠心力による物質の破壊内に於いて可能となり、多段モーターを駆動するエネルギー和と高速回転部の発電量との差が重力から核力に至る新しいエネルギー源として具現した。
【発明を実施するための最良の形態】
【０００５】多段モーターは容易に駆動モーターの内部発電抵抗を、コイルの巻き方行と回転体の組み合わせに拠り、電流と磁束の方向を逆転させ、回転を上げる方向に向けることができ、これにより爆発的に回転を上げるることが出来る。回転数毎秒１０００回転のモーターは既存の技術である。これを親モーターとして回転数毎秒１０００回転で回転している子モーターの本体を親モーターが回転させると、子モーターの回転子回転数は１０００×１０００となり、たとえば１０段迄の回転数に物質引っ張り力が耐えられるとすると１０の３０乗の回転数を得ることが出来る、その上時間の段数乗倍の回転を積数として得ることが出来る。多段先端モーター発電機が一段の状態で１ワットである時その段数乗倍の出力を得ることが出来る。各段のベアリング部毎秒１０００回転はエアーベアリングで可能ですが、多段の高速回転はそれぞれ各段の外側をベアリング部として逆回転同回転数のベアリング部を接することにより摩擦抵抗０のベアリング部を具現した。
【実施例】
【０００６】一段の回転数が毎分６万回転するモーターの多段が二段である回転子に遠心分離機を装着すると毎分３６００００万回転の遠心分離機が具現する。時間の遅れ１／６０を考慮しても毎秒１．０００．０００回転出せる。ナノメーターの分離も容易である。二段目の永久磁石回転子の外側に鉄心に巻いたコイルを具備し発生する電気をエネルギー出力側とする。磁石とコイルが逆でも可能。
【発明の効果】
【０００７】同軸で互いに逆転する多段モーター、図の同軸二段モーター二機のみでも先端高速回転子の軸を２重の軸として中心を出力回転軸とすることも可能、高速回転部をフライホイールとすることによりベアリング部摩擦抵抗０の高速回転オートジャイロを具現することが出来た。  二機の二段モーターの間にフライホイールを具備し、その上に磁石を具備し、その外側に鉄心に巻いたコイルを具備し重力から核力に至る高出力発電を可能とした。二段一軸一機でも高出力発電は可能である。
【図面の簡単な説明】
【０００８】
【図１】本発明の同軸回転軸とする二段モーター機は模型レーシングカート用モーター部品を使用して図示する。  Ａ      二段目高速回転出力部  Ｂ      二段目可動コイル  Ｃ      磁石  Ｄ      一段目整流子  Ｅ      一段目本体  Ｆ      電磁力方向  Ｉ      電流方向  Ｈ      磁界の方向
【図１】
2005039979.tif 000003